(57)【要約】      （修正有）【課題】他のＷｅｂサイトの更新情報を提供する際に、他のＷｅｂサイトが公開する情報が更新されたときに、その更新を適切に検出し管理する。【解決手段】記憶装置１４と、ネットワークを介してＷｅｂサイトにアクセスする通信装置１２と、ＷｅｂサイトのＷｅｂページを示すＵＲＬに基づいて、前記ＵＲＬ先である巡回先Ｗｅｂページで公開される公開情報を取得し、前記公開情報を取得済情報として前記記憶装置１４に格納する制御装置１１とを具備するサーバを構成する。前記記憶装置１４は前記Ｗｅｂサイトの名称もしくは前記巡回先ＷｅｂページのＵＲＬを示す情報を保持し、前記制御装置１１は前記巡回先Ｗｅｂページに接続し、現在の公開情報を前記巡回先Ｗｅｂページから抽出する。前記現在の公開情報と前記取得済情報とを比較して、前記取得済情報に含まれていない新たな公開情報を特定したときに、前記新たな公開情報を含む新たな取得済情報を生成する。【選択図】図１
2006318138.tif 000002
【特許請求の範囲】
【請求項１】
巡回先のＷｅｂサイトに関連する情報を保持する記憶装置と、
ネットワークを介して前記Ｗｅｂサイトにアクセスする通信装置と、
前記ＷｅｂサイトのＷｅｂページを示すＵＲＬに基づいて、前記ＵＲＬ先である巡回先Ｗｅｂページで公開される公開情報を取得し、前記公開情報を取得済情報として前記記憶装置に格納する制御装置と
を具備し、
前記記憶装置は、
前記Ｗｅｂサイトの名称もしくは前記ＷｅｂページのＵＲＬを示す情報を保持し、
前記制御装置は、
前記巡回先Ｗｅｂページに接続し、現在の公開情報を前記巡回先Ｗｅｂページから抽出し、前記現在の公開情報と前記取得済情報とを比較して、前記取得済情報に含まれていない新たな公開情報を特定したときに、前記新たな公開情報を含む新たな取得済情報を生成する
サーバコンピュータ。
【請求項２】
請求項１に記載のサーバコンピュータにおいて、
前記制御装置は、
前記巡回先Ｗｅｂページのデータである巡回先Ｗｅｂページ用データから、他のＷｅｂページへのリンクを実行させるためのリンク用タグを特定し、
前記リンク用タグに基づいて前記巡回先Ｗｅｂページ用データから前記公開情報を抽出する
サーバコンピュータ。
【請求項３】
請求項２に記載のサーバコンピュータにおいて、
前記制御装置は、
前記巡回先Ｗｅｂページ用データから、特定のタグを認識したときに、前記特定のタグで示される情報を無視してから前記現在の公開情報と前記取得済情報とを比較する
サーバコンピュータ。
【請求項４】
請求項２または３に記載のサーバコンピュータにおいて、
前記制御装置は、
前記巡回先Ｗｅｂページ用データから、前記公開情報に対応する文字列を抽出し、前記文字列が所定の文字数を超えるときに、前記現在の公開情報と前記取得済情報とを比較する
サーバコンピュータ。
【請求項５】
請求項２から４の何れか１項に記載のサーバコンピュータにおいて、
前記制御装置は、
前記巡回先Ｗｅｂページ用データから、前記巡回先Ｗｅｂページに表示される文字列が特定されないときに、前記取得済情報の保存を継続する
サーバコンピュータ。
【請求項６】
請求項２から５の何れか１項に記載のサーバコンピュータにおいて、
前記制御装置は、
前記公開情報のリンク先を示す公開情報ＵＲＬに、前記公開情報を取得したＷｅｂページのＵＲＬを付加して前記公開情報ＵＲＬ情報の記述を、相対パスから絶対パスへ変換する機能または絶対パスから相対パスに変換する機能を有する
サーバコンピュータ。
【請求項７】
請求項２または６の何れか１項に記載のサーバコンピュータにおいて、
さらに、表示部
を具備し、
前記制御部は、
新たな公開情報が特定されたとき、前記新たな取得済情報に対応する前記新たな公開情報を識別するためのフラグをたてるか、もしくは、前記新たな取得済情報に対応する前記新たな公開情報を示す公開情報リストを生成し、
前記フラグが付与された前記新たな取得済情報または公開情報リストを、前記Ｗｅｂサイト管理者が新たな公開情報の確認を実行する場合に使用される確認用表示画面を介して前記表示部に出力する
サーバコンピュータ。
【請求項８】
請求項２または７の何れか１項に記載のサーバコンピュータにおいて、
前記記憶部は、
前記Ｗｅｂサイトの名称もしくは前記ＷｅｂページのＵＲＬの少なくとも一方を前記取得済情報と関連付けて保持する
サーバコンピュータ。
【請求項９】
自己のＷｅｂサイトのデータを閲覧可能な状態で保持するＷＷＷサーバと、
他のＷｅｂサイトが有するＷｅｂページを示すＵＲＬに基づいて、前記ＵＲＬ先である巡回先Ｗｅｂページで公開される公開情報を取得する管理サーバと
を具備し、
前記管理サーバは、
巡回先のＷｅｂサイトに関連する情報を保持する記憶装置と、
ネットワークを介して前記Ｗｅｂサイトにアクセスする通信装置と、
前記巡回先Ｗｅｂページで公開される公開情報を取得し、前記公開情報を取得済情報として前記記憶装置に格納する制御装置と
を具備し、
前記記憶装置は、
前記Ｗｅｂサイトの名称もしくは前記ＷｅｂページのＵＲＬを示す情報を保持し、
前記制御装置は、
前記巡回先Ｗｅｂページに接続し、現在の公開情報を前記巡回先Ｗｅｂページから抽出し、前記現在の公開情報と前記取得済情報とを比較して、前記取得済情報に含まれていない新たな公開情報を特定したときに、前記新たな公開情報を含む新たな取得済情報を生成する
Ｗｅｂシステム。
【請求項１０】
請求項９に記載のＷｅｂシステムにおいて、
前記制御装置は、
前記Ｗｅｂページのデータである巡回先Ｗｅｂページ用データから、他のＷｅｂページへのリンクを実行させるためのリンク用タグを特定し、
前記リンク用タグに基づいて前記巡回先Ｗｅｂページ用データから前記公開情報を抽出する
Ｗｅｂシステム。
【請求項１１】
請求項１０に記載のＷｅｂシステムにおいて、
前記制御装置は、
前記巡回先Ｗｅｂページ用データから、特定のタグを認識したときに、前記特定のタグで示される情報を無視してから前記現在の公開情報と前記取得済情報とを比較する
Ｗｅｂシステム。
【請求項１２】
請求項１０または１１に記載のＷｅｂシステムにおいて、
前記制御装置は、
前記制御装置は、
前記巡回先Ｗｅｂページ用データから、前記公開情報に対応する文字列を抽出し、前記文字列が所定の文字数を超えるときに、前記現在の公開情報と前記取得済情報とを比較する
Ｗｅｂシステム。
【請求項１３】
請求項１０から１２の何れか１項に記載のＷｅｂシステムにおいて、
前記制御装置は、
前記巡回先Ｗｅｂページ用データから、前記巡回先Ｗｅｂページに表示される文字列が特定されないときに、前記取得済情報の保存を継続する
Ｗｅｂシステム。
【請求項１４】
請求項１０から１３の何れか１項に記載のＷｅｂシステムにおいて、
前記制御装置は、
前記公開情報のリンク先を示す公開情報ＵＲＬに、前記公開情報を取得したＷｅｂページのＵＲＬを付加して前記公開情報ＵＲＬ情報の記述を、相対パスから絶対パスへ変換する機能または絶対パスから相対パスに変換する機能を有する
Ｗｅｂシステム。
【請求項１５】
請求項１０から１４の何れか１項に記載のＷｅｂシステムにおいて、
前記管理サーバは、さらに、表示装置
を具備し、
前記制御部は、
新たな公開情報が特定されたとき、前記新たな取得済情報に対応する前記新たな公開情報を識別するためのフラグをたてるか、もしくは、前記新たな取得済情報に対応する前記新たな公開情報を示す公開情報リストを生成し、
前記フラグが付与された前記新たな取得済情報または公開情報リストを、前記Ｗｅｂサイト管理者が新たな公開情報の確認を実行する場合に使用される確認用表示画面を介して前記表示装置に出力する
Ｗｅｂシステム。
【請求項１６】
（ａ）ネットワークを介してＷｅｂサイトにアクセスするステップと、
（ｂ）前記ＷｅｂサイトのＷｅｂページを示すＵＲＬに基づいて、前記ＵＲＬ先である巡回先Ｗｅｂページで公開される公開情報を取得し、前記公開情報を取得済情報として前記記憶装置に格納するステップと、
（ｃ）前記Ｗｅｂサイトの名称もしくは前記ＷｅｂページのＵＲＬを示す情報を読み出すステップと
（ｄ）前記巡回先Ｗｅｂページに接続し、現在の公開情報を前記巡回先Ｗｅｂページから抽出し、前記現在の公開情報と前記取得済情報とを比較して、前記取得済情報に含まれていない新たな公開情報を特定したときに、前記新たな公開情報を含む新たな取得済情報を生成するステップ
を具備する方法をコンピュータで実行するためのプログラム。
【請求項１７】
請求項１６に記載のプログラムにおいて、
前記（ｄ）ステップは、
前記Ｗｅｂページのデータである巡回先Ｗｅｂページ用データから、他のＷｅｂページへのリンクを実行させるためのリンク用タグを特定するステップと、
前記リンク用タグに基づいて前記巡回先Ｗｅｂページ用データから前記公開情報を抽出するステップ
をさらに具備する方法をコンピュータで実行するためのプログラム。
【請求項１８】
請求項１７に記載のプログラムにおいて、
前記（ｄ）ステップは、
前記巡回先Ｗｅｂページ用データから、特定のタグを認識したときに、前記特定のタグで示される情報を無視してから前記現在の公開情報と前記取得済情報とを比較するステップ
をさらに具備する方法をコンピュータで実行するためのプログラム。
【請求項１９】
請求項１７または１８に記載のプログラムにおいて、
前記（ｄ）ステップは、
前記巡回先Ｗｅｂページ用データから、前記公開情報に対応する文字列を抽出し、前記文字列が所定の文字数を超えるときに、前記現在の公開情報と前記取得済情報とを比較するステップ
をさらに具備する方法をコンピュータで実行するためのプログラム。
【請求項２０】
請求項１７から１９の何れか１項に記載のプログラムにおいて、
前記（ｄ）ステップは、
前記巡回先Ｗｅｂページ用データから、前記巡回先Ｗｅｂページに表示される文字列が特定されないときに、前記取得済情報の保存を継続するステップ
をさらに具備する方法をコンピュータで実行するためのプログラム。
【請求項２１】
請求項１７から２０の何れか１項に記載のプログラムにおいて、
前記（ｄ）ステップは、
前記公開情報のリンク先を示す公開情報ＵＲＬに、前記公開情報を取得したＷｅｂページのＵＲＬを付加して前記公開情報ＵＲＬ情報の記述を、相対パスから絶対パスへ変換する機能または絶対パスから相対パスに変換を実行するステップ
をさらに具備する方法をコンピュータで実行するためのプログラム。
【請求項２２】
請求項１７から２１の何れか１項に記載のプログラムにおいて、さらに、
（ｅ）新たな公開情報が特定されたとき、前記新たな取得済情報に対応する前記新たな公開情報を識別するためのフラグをたてるか、もしくは、前記新たな取得済情報に対応する前記新たな公開情報を示す公開情報リストを生成し、
前記フラグが付与された前記新たな取得済情報または公開情報リストを、前記Ｗｅｂサイト管理者が新たな公開情報の確認を実行する場合に使用される確認用表示画面を介して前記表示装置に出力するステップ
を具備する方法をコンピュータで実行するためのプログラム。
【発明の詳細な説明】
【技術分野】
【０００１】
本発明は、Ｗｅｂシステム、Ｗｅｂシステム用サーバコンピュータおよびコンピュータプログラムに関し、特にハイパーリンクで結合されるＷｅｂページで公開される情報の更新状況を適切に把握する技術に関する。
【背景技術】
【０００２】
インターネットを介して情報を公開する技術として、ＷＷＷ（World  Wide  Web）システムが知られている。ＷＷＷシステムでは、インターネットに接続されたＷＷＷサーバにＨＴＭＬファイルを備えて構成されている。ＷＷＷで公開されている情報は、ＨＴＭＬファイル形式で保持されており、閲覧者は、Ｗｅｂブラウザ（閲覧用ソフトウェア）を使用してＨＴＭＬファイルを読み込むことで、公開されている情報の閲覧をすることができる。
【０００３】
一般的に、インターネットで公開されるＨＴＭＬファイルは、閲覧者が使用するＷｅｂブラウザに１ページずつ表示される。情報を公開する側（以下、Ｗｅｂサイト管理者と呼ぶ）は、複数のページ（Ｗｅｂページ）を一つのまとまりとしたＷｅｂサイトを構築して情報を公開している。
【０００４】
公開されるＷｅｂサイトには、閲覧者がそのＷｅｂを特定できるようにＵＲＬ（Uniform  Resource  Locator：）が付与されている。閲覧者はＷｅｂブラウザにＵＲＬを入力することで所望のＷｅｂサイトにアクセスすることができる。ＵＲＬが入力されたＷｅｂブラウザは、そのＵＲＬに対応するＷＷＷサーバを検索し、その検索に対する応答のあったＷＷＷサーバに対して、閲覧希望のＷｅｂサイトのデータを要求する。ＷＷＷサーバは、要求されたＷｅｂサイトのデータをネットワークを介して要求元に送信する。Ｗｅｂブラウザは、送信されたデータに応答して、Ｗｅｂページを表示する。
【０００５】
閲覧者が、Ｗｅｂサイトにアクセスする方法として、上記のようにＵＲＬを直接入力する方法にほか、ハイパーリンク（または、リンク）と呼ばれる仕組みが用いられることが一般的である。Ｗｅｂサイトの管理者は、公開しているＷｅｂページで表示される文字列や表示画像に対してハイパーリンクを設定する。閲覧者に、その文字列や表示画像を選択（クリック）してもらうことで、リンク先の文書や画像、または、他のＷｅｂページに接続させることが可能となる。
【０００６】
ある特定のテーマに沿ってＷｅｂサイトを構築している場合、そのＷｅｂサイトに関連する他の複数のＷｅｂサイトとハイパーリンクによって情報を共有している場合がある。関連した情報を公開している他のＷｅｂサイトは、それぞれ独自に運営されている。そのため、他のＷｅｂサイトの更新時期は一定ではなく、リンク元の管理者は、手動でそれぞれのＷｅｂサイトを確認して更新状況を把握することで、自身が公開しているＷｅｂサイトに他のＷｅｂサイトの更新状況を開示している。
【０００７】
手動での更新状況の確認が困難な場合、自動的に更新状況を確認する技術が知られている（例えば、特許文献１〜３参照。）。
【０００８】
特許文献１（特許３５８６２７２号）には、インデックスページの更新日とリンク先のページを比較し、最新の更新日をインデックスページの更新日にする技術が開示されている。また、特許文献２（特開２００３−０９９３１８号公報）には、サイトのリンク先の情報がすでにダウンロード済みか判断し、リンクをすでにダウンロード済みの情報に変更する技術が開示されている。また、特許文献３（特開２００４−２８０２０３号公報）には、ページ巡回リストに従って複数のＷｅｂページを巡回し、巡回中のページの中からヘッドラインのテキスト列とヘッドラインのリンク先ページのＵＲＬを抜き出す。その中からキーワードを判別する。ヘッドラインのテキスト列、リンク先ページのソースおよびキーワードを用いてＷｅｂ対応電子機器装置向けに最適化したページとしてキーワード一覧ページ、ヘッドライン一覧ページ、詳細ページを再構築する技術が開示されている。
【０００９】
Ｗｅｂサイトにハイパーリンクを設定して他のＷｅｂサイトと結合することで他のＷｅｂサイトで提供される情報に接続できるようにした場合、他のＷｅｂサイトの更新状況を開示することが求められる場合がある。他のＷｅｂサイトの更新状況を手動で確認し、その情報を収集するには、収集作業の時間だけでなく内容の確認作業にも時間が必要となり、管理者に対する膨大な労力が要求される。また、人的に収集される情報には、見落としや偏りが発生し、提供する情報の正確性に問題が発生することがある。
【００１０】
また、上記特許文献１〜３に記載の技術のように、管理者の負担を低減させるために、他のＷｅｂサイトの更新日を利用し、更新日新しいＷｅｂサイトの情報を自動的に収集する方法が知られている。しかしながら、Ｗｅｂサイトには、そのＷｅｂサイトの更新日以外の日付情報が記載されている場合があり、実際の更新日を特定することが困難な場合がある。特に、Ｗｅｂページのファイルデータが作成／更新された日時を特定するには、Ｗｅｂサイトに含まれるＷｅｂページの全てを検索する必要がある。さらに、ＣＧＩやActiveServerPageなどを用いてＷｅｂサイトが構築されている場合、そのＷｅｂサイトにアクセスするコンピュータ端末からの要求に応答して動的にＷｅｂページが作成され、データの提供が行なわれる。このようなＷｅｂサイトでは、Ｗｅｂページが閲覧された日が更新日となってしまう。更新日に依存することなく、リンク先の更新状況を把握することができる技術が望まれる。
【００１１】
【特許文献１】特許３５８６２７２号
【特許文献２】特開２００３−０９９３１８号公報
【特許文献３】特開２００４−２８０２０３号公報
【発明の開示】
【発明が解決しようとする課題】
【００１２】
本発明が解決しようとする課題は、自己のＷｅｂサイトで他のＷｅｂサイトの更新情報を提供する際に、他のＷｅｂサイトが公開する情報が更新されたときに、その更新を適切に検出し管理する技術を提供することにある。
【課題を解決するための手段】
【００１３】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１４】
上記課題を解決するために、以下に述べるサーバコンピュータ（５）を構成し、Ｗｅｂシステムの管理に使用する。そのサーバコンピュータ（５）は、巡回先のＷｅｂサイトに関連する情報を保持する記憶装置（１４）と、ネットワークを介して前記Ｗｅｂサイトにアクセスする通信装置（１２）と、前記ＷｅｂサイトのＷｅｂページを示すＵＲＬに基づいて、前記ＵＲＬ先である巡回先Ｗｅｂページで公開される公開情報を取得し、前記公開情報を取得済情報（４２）として前記記憶装置（１４）に格納する制御装置（１１）とを具備する構成であることが好ましい。
ここで、前記記憶装置（１４）は、前記Ｗｅｂサイトの名称もしくは前記ＷｅｂページのＵＲＬを示す情報を保持する。また。前記制御装置（１１）は、前記巡回先Ｗｅｂページに接続し、現在の公開情報を前記巡回先Ｗｅｂページから抽出する。そして、前記現在の公開情報と前記取得済情報（４２）とを比較して、前記取得済情報（４２）に含まれていない新たな公開情報（４４）を特定したときに、前記新たな公開情報（４４）を含む新たな取得済情報（４２）を生成する。
【００１５】
そのサーバコンピュータ（５）において、
前記制御装置（１１）は、前記巡回先Ｗｅｂページのデータである巡回先Ｗｅｂページ用データ（３５）から、他のＷｅｂページへのリンクを実行させるためのリンク用タグを特定し、前記リンク用タグに基づいて前記巡回先Ｗｅｂページ用データ（３５）から前記公開情報を抽出することが好ましい。また、前記制御装置（１１）は、前記巡回先Ｗｅｂページ用データ（３５）から、特定のタグを認識したときに、前記特定のタグで示される情報を無視してから前記現在の公開情報と前記取得済情報（４２）とを比較するような装置であっても良い。
【００１６】
また、そのサーバコンピュータ（５）において、前記制御装置（１１）は、前記巡回先Ｗｅｂページ用データ（３５）から、前記公開情報に対応する文字列を抽出し、前記文字列が所定の文字数を超えるときに、前記現在の公開情報と前記取得済情報（４２）とを比較するような制御装置（１１）であることが好ましい。さらには、前記制御装置（１１）は、前記巡回先Ｗｅｂページ用データ（３５）から、前記巡回先Ｗｅｂページに表示される文字列が特定されないときに、前記取得済情報（４２）の保存を継続するような命令を出力する構成であっても良い。
【００１７】
さらに、そのサーバコンピュータ（５）において、前記制御装置（１１）は、前記公開情報のリンク先を示す公開情報ＵＲＬに、前記公開情報を取得したＷｅｂページのＵＲＬを付加して前記公開情報ＵＲＬ情報の記述を、相対パスから絶対パスへ変換する機能または絶対パスから相対パスに変換する機能を有するものであることが好ましい。
【００１８】
上述してきたサーバコンピュータ（５）において、さらに、画面を出力するための表示部を具備する構成であっても良い。その場合において、前記制御部は、新たな公開情報（４４）が特定されたとき、前記新たな取得済情報（４２）に対応する前記新たな公開情報（４４）を識別するためのフラグをたてるか、もしくは、前記新たな取得済情報（４２）に対応する前記新たな公開情報（４４）を示す公開情報リストを生成する。そして、前記フラグが付与された前記新たな取得済情報（４２）または公開情報リストを、前記Ｗｅｂサイト管理者が新たな公開情報（４４）の確認を実行する場合に使用される確認用表示画面を介して前記表示部に出力するような構成であることが好ましい。
【００１９】
また、そのサーバコンピュータ（５）において、前記記憶部は、前記Ｗｅｂサイトの名称もしくは前記ＷｅｂページのＵＲＬの少なくとも一方を前記取得済情報（４２）と関連付けて保持するような構成を有するものであることが好ましい。
【００２０】
また、以下のようなＷｅｂシステムを構築することでも上記課題を解決することが可能である。そのＷｅｂシステムは、自己のＷｅｂサイトのデータを閲覧可能な状態で保持するＷＷＷサーバと、他のＷｅｂサイトが有するＷｅｂページを示すＵＲＬに基づいて、前記ＵＲＬ先である巡回先Ｗｅｂページで公開される公開情報を取得する管理サーバとを具備して構成されることが好ましい。ここで、前記管理サーバは、巡回先のＷｅｂサイトに関連する情報を保持する記憶装置（１４）と、ネットワークを介して前記Ｗｅｂサイトにアクセスする通信装置（１２）と、前記巡回先Ｗｅｂページで公開される公開情報を取得し、前記公開情報を取得済情報（４２）として前記記憶装置（１４）に格納する制御装置（１１）とを具備する。
そして、前記記憶装置（１４）は、前記Ｗｅｂサイトの名称もしくは前記ＷｅｂページのＵＲＬを示す情報を保持する。また、前記制御装置（１１）は、前記巡回先Ｗｅｂページに接続し、現在の公開情報を前記巡回先Ｗｅｂページから抽出し、前記現在の公開情報と前記取得済情報（４２）とを比較して、前記取得済情報（４２）に含まれていない新たな公開情報（４４）を特定したときに、前記新たな公開情報（４４）を含む新たな取得済情報（４２）を生成する。
【００２１】
そのＷｅｂシステムにおいて、
前記制御装置（１１）は、前記Ｗｅｂページのデータである巡回先Ｗｅｂページ用データ（３５）から、他のＷｅｂページへのリンクを実行させるためのリンク用タグを特定し、前記リンク用タグに基づいて前記巡回先Ｗｅｂページ用データ（３５）から前記公開情報を抽出するものであることが好ましい。また、前記制御装置（１１）は、前記巡回先Ｗｅｂページ用データ（３５）から、特定のタグを認識したときに、前記特定のタグで示される情報を無視してから前記現在の公開情報と前記取得済情報（４２）とを比較するような構成であっても良い。
【００２２】
また、そのＷｅｂシステムにおいて、
前記制御装置（１１）は、前記巡回先Ｗｅｂページ用データ（３５）から、前記公開情報に対応する文字列を抽出し、前記文字列が所定の文字数を超えるときに、前記現在の公開情報と前記取得済情報（４２）とを比較するものであることが好ましい。また、前記制御装置（１１）は、前記巡回先Ｗｅｂページ用データ（３５）から、前記巡回先Ｗｅｂページに表示される文字列が特定されないときに、前記取得済情報（４２）の保存を継続するような構成であっても良い。
【００２３】
さらに、そのＷｅｂシステムにおいて、前記制御装置（１１）は、前記公開情報のリンク先を示す公開情報ＵＲＬに、前記公開情報を取得したＷｅｂページのＵＲＬを付加して前記公開情報ＵＲＬ情報の記述を、相対パスから絶対パスへ変換する機能または絶対パスから相対パスに変換する機能を有するものであることが好ましい。さらには、そのＷｅｂシステムにおいて、前記管理サーバは、さらに、表示装置
を具備すると良い。その場合において、前記制御部は、新たな公開情報（４４）が特定されたとき、前記新たな取得済情報（４２）に対応する前記新たな公開情報（４４）を識別するためのフラグをたてるか、もしくは、前記新たな取得済情報（４２）に対応する前記新たな公開情報（４４）を示す公開情報リストを生成する。そして、前記フラグが付与された前記新たな取得済情報（４２）または公開情報リストを、前記Ｗｅｂサイト管理者が新たな公開情報（４４）の確認を実行する場合に使用される確認用表示画面を介して前記表示装置に出力する。
【００２４】
さらに、以下のコンピュータプログラムを構成し、コンピュータに実行させることで上記課題を解決することが可能になる。そのコンピュータプログラムは、
［ａ］ネットワークを介してＷｅｂサイトにアクセスするステップと、
［ｂ］前記ＷｅｂサイトのＷｅｂページを示すＵＲＬに基づいて、前記ＵＲＬ先である巡回先Ｗｅｂページで公開される公開情報を取得し、前記公開情報を取得済情報（４２）として前記記憶装置（１４）に格納するステップと、
［ｃ］前記Ｗｅｂサイトの名称もしくは前記ＷｅｂページのＵＲＬを示す情報を読み出すステップと
［ｄ］前記巡回先Ｗｅｂページに接続し、現在の公開情報を前記巡回先Ｗｅｂページから抽出し、前記現在の公開情報と前記取得済情報（４２）とを比較して、前記取得済情報（４２）に含まれていない新たな公開情報（４４）を特定したときに、前記新たな公開情報（４４）を含む新たな取得済情報（４２）を生成するステップ
を具備する方法をコンピュータで実行するためのプログラムである。
【００２５】
ここで、そのプログラムにおいて、前記［ｄ］ステップは、さらに、
前記Ｗｅｂページのデータである巡回先Ｗｅｂページ用データ（３５）から、他のＷｅｂページへのリンクを実行させるためのリンク用タグを特定するステップと、
前記リンク用タグに基づいて前記巡回先Ｗｅｂページ用データ（３５）から前記公開情報を抽出するステップ
を具備するものであっても良い。また、そのプログラムにおいて、前記［ｄ］ステップは、
前記巡回先Ｗｅｂページ用データ（３５）から、特定のタグを認識したときに、前記特定のタグで示される情報を無視してから前記現在の公開情報と前記取得済情報（４２）とを比較するステップ
をさらに具備する方法をコンピュータで実行するためのプログラムであってもかまわない。
【００２６】
また、そのプログラムにおいて、前記［ｄ］ステップは、
前記巡回先Ｗｅｂページ用データ（３５）から、前記公開情報に対応する文字列を抽出し、前記文字列が所定の文字数を超えるときに、前記現在の公開情報と前記取得済情報（４２）とを比較するステップ
をさらに具備するものであっても良い。さらに、前記［ｄ］ステップは、
前記巡回先Ｗｅｂページ用データ（３５）から、前記巡回先Ｗｅｂページに表示される文字列が特定されないときに、前記取得済情報（４２）の保存を継続するステップ
をさらに具備するものであることが好ましい。
【００２７】
さらには、そのプログラムにおいて、前記［ｄ］ステップは、
前記公開情報のリンク先を示す公開情報ＵＲＬに、前記公開情報を取得したＷｅｂページのＵＲＬを付加して前記公開情報ＵＲＬ情報の記述を、相対パスから絶対パスへ変換する機能または絶対パスから相対パスに変換を実行するステップ
を具備するものであることが好ましい。
また、そのプログラムにおいて、さらに、
［ｅ］  新たな公開情報（４４）が特定されたとき、前記新たな取得済情報（４２）に対応する前記新たな公開情報（４４）を識別するためのフラグをたてるか、もしくは、前記新たな取得済情報（４２）に対応する前記新たな公開情報（４４）を示す公開情報リストを生成し、
前記フラグが付与された前記新たな取得済情報（４２）または公開情報リストを、前記Ｗｅｂサイト管理者が新たな公開情報（４４）の確認を実行する場合に使用される確認用表示画面を介して前記表示装置に出力するステップ
を具備する方法をコンピュータで実行するためのプログラムを構成しても良い。
【発明の効果】
【００２８】
本発明によると、自己のＷｅｂサイトで他のＷｅｂサイトの更新情報を提供する際に、他のＷｅｂサイトが公開する情報が更新されたときに、その更新を適切に検出し管理する技術を提供することができる。
【発明を実施するための最良の形態】
【００２９】
［実施の形態］
以下に、図面を参照して本発明の実施の形態について説明を行なう。図１は、本実施の形態のＷＷＷ（World  Wide  Web）システムの構成を例示するブロック図である。図１に示されているように、本実施の形態のＷＷＷシステムは、配信側システム１と、巡回先ＷＷＷサーバ群２と、閲覧側システム３とを含んで構成され、それらはネットワーク４を介して接続されている。図１を参照すると、配信側システム１は、メンテナンスコンピュータ５と、メンテナンスコンピュータ側入力装置６と、メンテナンスコンピュータ側出力装置７と、ＷＷＷサーバ８と、ＷＷＷサーバ側入力装置９と、ＷＷＷサーバ側出力装置１０とを含んで構成されている。メンテナンスコンピュータ５は、配信側１が公開するＷｅｂサイトが発信する情報のＷｅｂサイト用データの更新等の管理を行なう情報処理装置である。メンテナンスコンピュータ側入力装置６は、メンテナンスコンピュータ５に情報の入力を行なう機能を有するマンマシンインターフェースである。メンテナンスコンピュータ側出力装置７は、メンテナンスコンピュータ５から供給される情報を出力するマンマシンインターフェースである。以下の実施の形態の説明において、メンテナンスコンピュータ側入力装置６がキーボードやマウスなどの機器で構成され、メンテナンスコンピュータ側出力装置７が、ＣＲＴや液晶表示装置などの機器で構成されているものとして説明を行なっていく。
【００３０】
図１に示されているようにメンテナンスコンピュータ５は、制御部１１と、通信部１２と、出力部１３と、記憶部１４とを含んで構成されている。制御部１１は、所定のコンピュータプログラムに対応して情報処理を実行する装置である。通信部１２は、ネットワーク４を介して情報の送受信を行なう通信インターフェースである。出力部１３は、制御部１１からの命令に応答して表示用データをメンテナンスコンピュータ側出力装置７に供給するデータ出力インターフェースである。記憶部１４は、メンテナンスコンピュータ５が実行する各種プログラム（図示されず）や、配信側システム１で公開しているＷｅｂサイトに関連する情報を保持する記憶装置である。図１に示されているように、記憶部１４は、Ｗｅｂサイトに設定されているハイパーリンクに関連する情報をリンク情報１６として保持している。
【００３１】
ＷＷＷサーバ８は、ネットワーク４を介して公開する情報を閲覧可能な状態で保持する情報処理装置である。ＷＷＷサーバ８に接続されているＷＷＷサーバ側入力装置９は、ＷＷＷサーバ８へ情報を入力する機能を有するマンマシンインターフェースである。また、ＷＷＷサーバ側出力装置１０は、ＷＷＷサーバ８から供給される情報を出力するマンマシンインターフェースである。ＷＷＷサーバ側入力装置９は、メンテナンスコンピュータ側入力装置６と同様にキーボードやマウスなどの機器で構成されることが好ましい。また、ＷＷＷサーバ側出力装置１０は、メンテナンスコンピュータ側出力装置７と同様にＣＲＴや液晶表示装置などの機器で構成されることが好ましい。
【００３２】
図１を参照すると、ＷＷＷサーバ８は、ＷＷＷサーバ制御部１７と、ＷＷＷサーバ通信部１８と、ＷＷＷサーバ記憶部１９とを含んで構成され、それらはバス２０を介して接続されている。ＷＷＷサーバ制御部１７は、ネットワーク４を介して受信したＷｅｂサイトの閲覧要求に応答して、所定のＷｅｂページのデータを供給するための制御を行う演算処理装置である。ＷＷＷサーバ通信部１８は、ネットワーク４を介してＷｅｂページの閲覧要求を受信し、その要求に応答してネットワーク４を介して所定のＷｅｂページを他のコンピュータに送信するための通信インターフェースである。ＷＷＷサーバ記憶部１９は、ネットワーク４を介して公開する情報を保持する記憶装置である。図１に示されているように、ＷＷＷサーバ記憶部１９はＷｅｂサイト用データ２１を備えて構成されている。Ｗｅｂサイト用データ２１は、ＨＴＭＬなどのマークアップ言語で記述されたファイルで構成され、Ｗｅｂサイトの閲覧要求に応答して読み出される。
【００３３】
巡回先ＷＷＷサーバ群２を構成している巡回先ＷＷＷサーバ３０は、ハイパーリンクによってＷＷＷサーバ８が公開しているＷｅｂサイトに結合されるＷｅｂページのデータを保持している情報処理装置である。図１に示されているように、巡回先ＷＷＷサーバ３０は巡回先ＷＷＷサーバ制御部３１と、巡回先ＷＷＷサーバ通信部３２と、巡回先ＷＷＷサーバ記憶部３３とを含んで構成され、それらはバス３４を介して接続されている。
巡回先ＷＷＷサーバ制御部３１は、上述のＷＷＷサーバ制御部１７と同様の構成を有する演算処理装置である。巡回先ＷＷＷサーバ通信部３２は、ネットワーク４を介してＷｅｂページのデータを配信する機能を有する通信インターフェースである。巡回先ＷＷＷサーバ記憶部３３は、ネットワーク４を介して公開するＷｅｂサイトのデータを閲覧可能な状態で保持する記憶装置である。本実施の形態において、巡回先ＷＷＷサーバ記憶部３３には巡回先Ｗｅｂページ用データ３５が備えられている。巡回先Ｗｅｂページ用データ３５は、巡回先ＷＷＷサーバ３０によって公開されるＷｅｂサイトのトップページのデータと、そのトップページにハイパーリンクによって結合されるＷｅｂページのデータ（３５−１〜３５−ｎ）で構成され、ＨＴＭＬ形式に代表されるマークアップ言語を用いてファイルとして保持されている。
【００３４】
つまり、巡回先ＷＷＷサーバ３０が公開しているＷｅｂサイトはトップページとトップページ（の例えばニュース欄のハイパーリンク）からリンクされ、公開する最新情報の更新や追加に対応して、書き換えられるＷｅｂページ（ここでは、仮に紹介ページとする）とで構成されている。紹介ページが更新や追加されるとトップページに紹介ページが更新や追加されたことが載り、トップページから紹介ページにリンクが貼られることになる。よって、本実施の形態のメンテナンスコンピュータ５は、巡回先ＷＷＷサーバ３０の中のたくさんの数のＷｅｂページデータから直接この紹介ページ（の更新や追加）を検索することなく、トップページのリンクを調べます。そして、新たなリンクが見つかるとそのリンクをＷＷＷサーバ８のＷｅｂサイト用データに加えることで、紹介ページの更新や追加を実行する。
【００３５】
閲覧側システム３は、ＷＷＷサーバ８が公開しているＷｅｂサイトの閲覧を行う利用者が使用する閲覧システムである。図１を参照すると、閲覧側システム３は、利用者端末２２と、その利用者端末２２に接続される利用者端末側入力装置２３および利用者端末側出力装置２４とを含んで構成されている。利用者端末２２は、Ｗｅｂブラウザ（Ｗｅｂページ閲覧用アプリケーション）を備える情報処理装置である。利用者端末側入力装置２３は、メンテナンスコンピュータ側入力装置６（または、ＷＷＷサーバ側入力装置９）と同様の構成を有するマンマシンインターフェースである。また、利用者端末側出力装置２４は、メンテナンスコンピュータ側出力装置７（または、ＷＷＷサーバ側出力装置１０）と同様の構成を有するマンマシンインターフェースである。図１に示されているように、利用者端末２２は、利用者端末制御部２５と、利用者端末通信部２６と、利用者端末出力部２７と、利用者端末記憶部２８とを含んで構成され、それらはバス２９を介して接続されている。利用者端末制御部２５は、利用者端末側入力装置２３を介して入力されたブラウザ起動命令に応答してＷｅｂブラウザを起動し、Ｗｅｂサイトの閲覧に関連する情報処理を実行する。利用者端末通信部２６は、公開されているＷｅｂサイトのデータを、ネットワーク４を介して受信する通信インターフェースである。利用者端末出力部２７は、受信したＷｅｂページのデータを利用者端末側出力装置２４で表示可能な形式に変換して出力する機能を有するデータ出力装置である。また、利用者端末記憶部２８は、利用者がＷｅｂサイトを閲覧するためのアプリケーション（例えば、Ｗｅｂブラウザなど）を保持し、そのアプリケーションは、利用者端末制御部２５からの命令に応答して読み出される。
【００３６】
図２は、記憶部１４に保持されるリンク情報１６の構成を例示するテーブルである。図２に示されているように、リンク情報１６は、巡回先ＵＲＬ４１と、登録済み公開情報４２と、登録日４３とを関連付けて構成されている。巡回先ＵＲＬ４１は、巡回先のＷｅｂサイトのトップページのＵＲＬを示している。登録済み公開情報４２は、ＵＲＬ４２−１と表示テキスト４２−２とを含んで構成されている。表示テキスト４２−２は、そのトップページに設定されているハイパーリンクに対応して公開される情報である。登録日４３は、その登録済み公開情報４２がリンク情報１６に登録された日付である。本実施の形態のリンク情報１６は、巡回先ＵＲＬ４１に対応して登録済み公開情報４２を保持している。登録済み公開情報は巡回先ＵＲＬ４１に対して複数あることが一般的である。したがって、例えば、http://www.aaa.bbb.cc/が登録日2005/1/8にも別の公開情報を取得している事もある。そのような場合に、巡回先ＵＲＬ４１毎に表を持つようなリンク情報１６を構成することで対応することも可能である。
【００３７】
図３は、新たなリンク情報１６−１の構成を例示するテーブルである。メンテナンスコンピュータ５は、ネットワークに接続されている巡回先ＷＷＷサーバを巡回し、その巡回によって得られたＷｅｂページデータから現在の公開情報を抽出する。メンテナンスコンピュータ５は、抽出した現在の公開情報をリストにした新たなリンク情報１６−１を一時的に生成して記憶部１４に格納する。メンテナンスコンピュータ５は、すでに保持しているリンク情報１６と、一時的に生成した新たなリンク情報１６−１との比較のみで、Ｗｅｂページが更新、追加されているかどうかを確認することができる。図３に示されているように、新たなリンク情報１６−１は、巡回先ＵＲＬ４１に関連付けられる新規取得公開情報４４および取得日４５を含んで構成されている。新規取得公開情報４４は、今回のアクセスで取得した公開情報（ＵＲＬ４２−１、表示テキスト４２−２）を示している。また、取得日４５は、その新規取得公開情報４４を取得した日付である。
【００３８】
以下に、本実施の形態の動作について説明を行なう。図４は、本実施の形態の動作を例示するフローチャートである。図４に示されている動作は、制御部１１がリンク先情報更新プログラム４０を起動すると開始する。以下の動作において、制御部１１は、起動したリンク先情報更新プログラム４０に基づいて、各ステップに示されている処理を実行する。ステップＳ１０１において、制御部１１は、巡回先の複数のＷＷＷサーバのＷｅｂページのＵＲＬがリスト化された巡回リスト（図示されず）を読み出し、その巡回リストから巡回先ＵＲＬ４１を抽出する。なお、本実施の形態において、巡回リストがメンテナンスコンピュータ５の記憶部１４に保持されている場合を例示して説明を行なう。ステップＳ１０２において、制御部１１は、巡回先ＵＲＬ４１で示されているＷｅｂページのデータ（３５）を巡回先ＷＷＷサーバ３０から取得する。ステップＳ１０３において、制御部１１は取得した巡回先Ｗｅｂページ用データ３５を一時的に記憶部１４に格納する。
【００３９】
ステップＳ１０４において、制御部１１は、リンク情報１６を構成している巡回先ＵＲＬ４１で特定される全てのＷｅｂページの巡回が完了したかどうかの判断を行なう。その判断の結果、巡回していないＷｅｂページが存在する場合、処理はステップＳ１０２に戻る。巡回先ＵＲＬ４１で特定されるＷｅｂページの巡回が全て終了している場合、処理はステップＳ１０５に進む。
【００４０】
ステップＳ１０５において、制御部１１は、今回の巡回によって取得したＷｅｂページデータに基づいて、新たなリンク情報１６−１を作成する。制御部１１は、マークアップ言語のＷｅｂページデータからハイパーリンクのタグを見つけて、現在の公開情報を抽出し、巡回先のＵＲＬに関連づけて取得日とともにリスト化する。制御部１１は、そのリスト化によって生成される新たなリンク情報１６−１を、記憶部１４に一時的に格納し、処理はステップＳ１０６に進む。ステップＳ１０６において、制御部１１は、作成した新たなリンク情報１６−１と記憶部１４に保持されているリンク情報１６とを比較する。ステップＳ１０７において、制御部１１は、リンク情報１６の登録済み公開情報４２に含まれていないデータが、新たなリンク情報１６−１の新規取得公開情報４４に存在するかどうかの判断を実行する。その判断の結果、新たなデータが含まれていない場合には、処理は終了する。新たなデータが存在するときには、処理はステップＳ１０８に進む。
【００４１】
ステップＳ１０８において、新たなデータを登録済み公開情報４２に追加登録し、そのデータ取得日４５を登録日４３としてリンク情報１６を更新する。ステップＳ１０９において、新規取得公開情報４４に含まれる新たなデータをＷＷＷサーバのリンク情報として公開するために、制御部１１は、新規取得公開情報４４に含まれる新たなデータをＷＷＷサーバのＷＷＷサーバ記憶部に保持しているＷｅｂサイト用データ２１に追加する旨をＷＷＷサーバ８に通知する。ＷＷＷサーバ８は、その通知に応答して、ＷＷＷサーバ記憶部１９のＷｅｂサイト用データ２１のハイパーリンクの設定を更新する。
【００４２】
図５は、上述のフローチャートに示される動作に対応するデータの流れを例示するブロック図である。図５に示されているように、制御部１１は、バス１５を介して巡回リストを読み出す（矢印５１）。制御部１１は、読み出した巡回リストに基づいて、通信部１２を介して巡回先ＷＷＷサーバ３０の巡回先Ｗｅｂページ用データ３５にアクセスする。メンテナンスコンピュータ５は、巡回先ＷＷＷサーバ３０へのアクセスの完了に対応して、巡回先ＵＲＬ４１で特定される巡回先Ｗｅｂページ用データ３５の出力を要求する（矢印５２）。
【００４３】
巡回先ＷＷＷサーバ３０は、その要求に応答して巡回先Ｗｅｂページ用データ３５を巡回先ＷＷＷサーバ通信部３２を介してメンテナンスコンピュータ５に送信する（矢印５３）。メンテナンスコンピュータ５の通信部１２は、送信された巡回先Ｗｅｂページ用データ３５をバス１５を介して制御部１１に供給する。制御部１１は、供給された巡回先Ｗｅｂページ用データ３５に基づいて新たなリンク情報１６−１を作成する。制御部１１は作成した新たなリンク情報１６−１と、リンク情報１６との比較に基づいて、Ｗｅｂサイトの更新をＷＷＷサーバ８に指示する（矢印５４）。ＷＷＷサーバ８のＷＷＷサーバ制御部１７は、制御部１１からの指示に応答してＷＷＷサーバ記憶部１９のＷｅｂサイト用データ２１を更新する。
【００４４】
このような構成、動作を実現することによって、自己のＷｅｂサイトで他のＷｅｂサイトの更新情報を公開する際に、他のＷｅｂサイトの更新状況を把握し、公開する情報が更新されたときに、その更新を検出して更新日に依存することなく適切にリンクを制御することが可能になる。
【００４５】
なお、上述してきた実施の形態において、Ｗｅｂページデータ（ＨＴＭＬファイル）が閲覧可能な状態でＷＷＷサーバに保持されることによって、Ｗｅｂサイトが公開される場合を例示してきたが、これは、本発明の構成を制限するものではない。例えば、フレームが使用されているＷｅｂサイトでは、本文が記述されているＷｅｂページのＵＲＬを登録する。または、フレームのタグである＜ＦＲＡＭＥＳＥＴ＞が記述されている場合には、フレーム先のＷｅｂページのＵＲＬ（例：frame_page1.html）が記述されているタグ＜FRAME SRC=" frame_page1.html "＞のＵＲＬに対応するＷｅｂページのデータを取得することで、本願発明を実現することができる。
【００４６】
以下に公開情報のデータがどのように抽出、比較、新たなデータとして特定されるか詳細を説明する。以下の説明では、ハイパーリンクが設定されているＷｅｂページがＨＴＭＬを用いて記述されている場合を例示して説明を行なう。ＨＴＭＬでは、リンクを構築する場合には、＜Ａ＞で表示されるタグが用いられる。例えば、利用者端末側出力装置２４で表示されているＷｅｂブラウザに「新ＰＣのホームページを表示します」という文字列が表示され、その文字列にハイパーリンクが設定されている場合のタグは、
＜A HREF="new_pc_url.htm"＞新ＰＣのホームページを表示します＜/A＞
と記述される。
【００４７】
この文字列を利用者端末側入力装置２３を使用して指定すると（例えば、マウスポインタを重ねて、マウスをクリックすると）、Ｗｅｂブラウザには、「new_pc_url.htm」のＵＲＬで特定されるＷｅｂページのデータが閲覧可能な状態に変換されて表示される。
【００４８】
巡回先Ｗｅｂページ用データ３５から公開情報を取得するには、  ＜A  から  /A＞  までの情報を取得することが求められる。ここで、上述したように本実施の形態のメンテナンスコンピュータ５は、記憶部１４にリンク情報１６を備え、リンク情報１６は、登録済み公開情報４２を含んでいる。したがって、＜A HREF="  "＞  ＜/A＞内のＵＲＬ（HREF=以降の"  "で囲まれた情報）と、表示テキスト（＜A＞＜/A＞で囲まれた情報）を取得し、取得したＵＲＬと表示テキストが、登録済み公開情報４２に記述されている文字列と一文字単位で同じかを比較することで、新規のデータかどうかの判断を行なうことができる。取得したデータから新たなリンク情報１６−１を生成し、そのリンク情報１６−１に含まれる新規取得公開情報４４と登録済み公開情報４２とを比較する。この場合に、新規取得公開情報４４に含まれるＵＲＬ４２−１と表示テキスト４２−２とのどちらか一方が、登録済み公開情報４２含まれるＵＲＬ４２−１と表示テキスト４２−２と相違するときは、そのＵＲＬ４２−１で特定されるＷｅｂページは、新しい情報を公開しているものと判断することができる。
【００４９】
さらに、＜A HREF="  "＞と＜/A＞との間に、＜＞で囲まれたタグが存在する場合に、そのタグを比較に使用しないことで、新規データの取得の精度を向上させることができる。つまり、
＜A HREF="new_pc_url.htm"＞＜font size=3＞新ＰＣのホームページを表示します＜/font＞＜/A＞
と記述されている場合に、＜font size=3＞と＜/font＞とを無視するようにし、「新ＰＣのホームページを表示します」という記述を比較対象とする。またこのとき、リンク情報１６を更新する場合に、＜font size=3＞と＜/font＞とを保存対象から除外する構成であっても良い。
【００５０】
また、文字列がない場合には、その新規取得公開情報を比較（または保存）しないことで、新規データの取得の精度を向上させることができる。つまり、
＜a href=url＞＜IMG SRC="画像ファイル名"＞＜/a＞
と記述されている場合、この公開情報は画像タグ（＜img．．．＞）などである。画像、バナー、デザイン要素に関するリンクは、新たな情報を公開するためのリンクではない場合が多い。このようなリンクの、比較処理を行わないことで、比較精度を向上させることができる。
【００５１】
さらに、掲載文字列に字数などの条件を設けることで、新規データの取得精度を向上させることが可能である。文字数が極端に少ない場合、その公開情報は新規の情報を公開するリンクではないことが多い。したがって、予め
取得対象の掲載文字列条件＝全角５文字以上
という条件を指定しておくことで、例えば、
＜a href=url＞次へ＜/a＞
というような記述の情報を無視することが可能になる。
【００５２】
本願発明において、公開情報として比較、保存および表示されるＵＲＬが相対パスであるか絶対パスであるかの制限はない。上述してきた実施の形態では、例えば、
＜A HREF="new_pc_url.htm"＞新ＰＣのホームページを表示します＜/A＞
という記述に示されるように、相対パスを用いてリンク情報１６が構成されている場合を例示してきた。制御部１１は、＜A HREF="new_pc_url.htm"＞に示されるＵＲＬに  http://  が付されていないことで、そのＵＲＬが相対パスであると判断する。ここで、巡回先ＷＷＷサーバ３０に事前に登録されているＵＲＬが  http://www.pc.co.jp  である場合、その末尾に「/」を付加した後、絶対パスに変換する。また、事前に登録されているＵＲＬが  http://www.pc.co.jp/  である場合には、「/」を付加することなく絶対パスへ変換する。制御部１１が、その絶対パスを用いて公開情報の比較を行なうことで、上記の実施の形態と同様の効果を実現することができる。
【００５３】
さらに、上記の実施の形態において、Ｗｅｂサイトの管理者による確認を行った後に、ハイパーリンクを設定することで、公開する情報を適切に取捨選択することが可能となる。その場合、メンテナンスコンピュータ５の制御部１１は、Ｗｅｂページの巡回を行なった後、リンク情報１６の更新完了に応答して、つまり、公開情報（URLと表示テキスト）の新規データが見つかったら、確認用プログラムを起動する。確認用プログラムは、確認用表示画面６０をメンテナンスコンピュータ側出力装置７に表示する。確認用プログラムはその確認用表示画面６０を用いて、更新されたリンク情報１６に基づく情報を出力する。
【００５４】
図６は、本実施の形態において、Ｗｅｂサイト管理者が新規データの確認を実行する場合に、メンテナンスコンピュータ側出力装置７の表示される確認用表示画面６０の構成を例示する図である。図６を参照すると、確認用表示画面６０は、巡回先会社名６１と、巡回先ＵＲＬ６２と、掲載内容６３とを含んで構成されている。また、掲載内容６３は、リンク情報１６から読み出した登録済み公開情報４２（＝新規取得公開情報４４）を掲載内容として表示させている。ここで、リンク情報１６の登録済み公開情報４２にあるものが全てＷＷＷサーバで公開されない場合、例えば、新規データとして特定されるのを防ぐために、予め、除外するＵＲＬや表示テキストを登録済み公開情報４２に登録させておく場合を考慮する。この場合、確認用表示画面の作成やＷｅｂサイト用データを更新するための一時的な新規データリストを生成しても良い。また、確認用表示画面の作成で登録済み公開情報４２を使う場合は、今回新たに新規データとして特定されたもののみ表示する。
【００５５】
Ｗｅｂサイト管理者は、掲載内容６３に示される情報を確認した後、掲載可または掲載不可のボタンを押すことで掲載の可否を決定する。また、Ｗｅｂサイト管理者は掲載内容６３に支援される情報を修正してから掲載を決定する構成であっても良い。確認用プログラムは、掲載の可否が決定したリンク情報１６をＷＷＷサーバ８のＷＷＷサーバ制御部１７に通知する、ＷＷＷサーバ制御部１７は、その通知に基づいて、ＷＷＷサーバ記憶部１９のＷｅｂサイト用データ２１を更新する。これによって、掲載すべきでない情報が公開されることを防止することができるようになる。また、確認用表示画面では、情報を取得した日（取得日、登録日）は、巡回したＵＲＬのＷｅｂページ上で記述されている日付が違う場合がある。その場合に対応するために、実際に公開する日を指定できる項目（掲載日）を設ける構成であっても良い。
【００５６】
上述してきた実施の形態において、巡回リストにはＵＲＬ毎に巡回するかしないかの巡回設定情報のフラグがあってもよく、その場合、巡回する設定のフラグのＵＲＬに対して巡回することが好ましい。巡回先ＵＲＬ４１として保持するＵＲＬは、巡回先ＷＷＷサーバ３０が公開しているＷｅｂサイトのトップページを示していることが好ましい。Ｗｅｂサイトは新着情報がある旨をトップページに表示し、その新着情報がある旨を示す文字列にリンクが設定され、そのリンクをたどることで該当する新しい情報を閲覧することができる。このため、トップページにリンクされるＵＲＬを取得することで、新規のＷｅｂページのデータを取得することができる。サイト内の全てのページを巡回することなく所望の新規データを取得することができる。
【００５７】
また、トップページのＵＲＬ以外に、各Ｗｅｂサイトのトップページ以降のページも登録する構成であっても良い。その場合、公開情報以外にバイナリ形式で保存されたＷｅｂページデータを用いることで、下層のページの更新状況を確認することができる。メンテナンスコンピュータ５の制御部１１は、前回保存したＷｅｂページデータと今回巡回したときに取得したＷｅｂページデータとをバイナリ形式で比較することで更新状況を把握する。制御部１１は、その確認の結果、更新されているＷｅｂページを特定したときに、確認用プログラムを起動し「更新あり」を示す情報を出力する。
【００５８】
下層ページの更新を確認することで、例えば、Ｗｅｂサイトが所定のジャンルごとに分かれたページで構成されている場合に、更新を確認しておきたいジャンルのＷｅｂページを登録しておくことで、トップページから得られる新着情報以外に、所望のＷｅｂページの新規な情報を得ることができる。また、このジャンルの下層にさらに小ジャンルを示すＷｅｂページが存在する場合、そのページのＵＲＬを登録して更新状況を確認する構成であっても良い。
【００５９】
また、上述の実施の形態における、メンテナンスコンピュータとＷＷＷサーバは個別の装置で構成されることに限定されるものではない。つまり、メンテナンスコンピュータとＷＷＷサーバとが単一の装置内に構成されても良い。また、各種リストやプログラムを保存する記憶部は１つでも複数でも良く、どの記憶部に各種リストやプログラムがあるかに限定されることはない。さらに、上述の実施の形態において、巡回リストが、リンク情報１６と別のリストであることを前提に説明を行なってきたが、この巡回リストをリンク情報１６の巡回先ＵＲＬ４１から抽出する構成であっても良い。
【図面の簡単な説明】
【００６０】
【図１】図１は、本実施の形態のＷｅｂシステムの全体構成を例示するブロック図である。
【図２】図２は、メンテナンスコンピュータに保持されるリンク情報の構成を例示すテーブルである。
【図３】図３は、新たなリンク情報の構成を例示するテーブルである。
【図４】図４は、本実施の形態の動作を例示するフローチャートである。
【図５】図５は、本実施の形態におけるデータ移動を例示するブロック図である。
【図６】図６は、メンテナンスコンピュータの表示装置に表示される確認用画面の構成を例示する画面図である。
【符号の説明】
【００６１】
１…配信側システム
２…巡回先ＷＷＷサーバ群
３…閲覧側システム
４…ネットワーク
５…メンテナンスコンピュータ
６…メンテナンスコンピュータ側入力装置
７…メンテナンスコンピュータ側出力装置
８…ＷＷＷサーバ
９…ＷＷＷサーバ側入力装置
１０…ＷＷＷサーバ側出力装置
１１…制御部
１２…通信部
１３…出力部
１４…記憶部
１５…バス
１６…リンク情報
１６−１…新たなリンク情報
１７…ＷＷＷサーバ制御部
１８…ＷＷＷサーバ通信部
１９…ＷＷＷサーバ記憶部
２０…バス
２１…Ｗｅｂサイト用データ
２２…利用者端末
２３…利用者端末側入力装置
２４…利用者端末側出力装置
２５…利用者端末側制御部
２６…利用者端末側通信部
２７…利用者端末側出力部
２８…利用者端末側記憶部
２９…バス
３０…巡回先ＷＷＷサーバ
３１…巡回先ＷＷＷサーバ制御部
３２…巡回先ＷＷＷサーバ通信部
３３…巡回先ＷＷＷサーバ記憶部
３４…バス
３５…巡回先Ｗｅｂページ用データ
４０…リンク先情報更新プログラム
４１…巡回先ＵＲＬ
４２…登録済み公開情報
４３…登録日
４４…新規取得公開情報
４５…取得日
５１〜５５…矢印
６０…確認用表示画面
６１…巡回先会社名
６２…巡回先ＵＲＬ
６３…掲載内容
【図１】
2006318138.tif 000003
【図２】
2006318138.tif 000004
【図３】
2006318138.tif 000005
【図４】
2006318138.tif 000006
【図５】
2006318138.tif 000007
【図６】
2006318138.tif 000008